(57)【要約】      （修正有）【課題】データ読み取り機上のキーパッドの配置を変更可能にし、この配置に連携してディスプレイの表示方向を変え、操作性の向上を行う。【解決手段】データ読み取り機は、本体に対して移動可能な可動キーパッド１０２をそなえており、この可動キーパッド１０２の位置を検出するためのキーパッドポジションセンサ１０６と、検出されたキーパッドの位置の少なくとも一部に基づいてディスプレイ１０４の表示方向を変更するディスプレイ配置コンポネント１０８を備える。【選択図】図１
2005251164.tif 000002
【特許請求の範囲】
【請求項１】
データ読み取り機のディスプレイの配置を好ましい状態にするシステムであって、
前記データ読み取り機の本体に対して移動可能であって前記データ読み取り機へ情報を中継することが可能なキーパッドと、
該キーパッドの位置を検出するコンポネントと、
前記キーパッドの検出された位置の少なくとも一部に基づいて前記ディスプレイを配置するコンポネントと
を具備することを特徴とするシステム。
【請求項２】
前記キーパッドおよび前記ディスプレイが備えられた分離可能面を更に具備することを特徴とする請求項１に記載のシステム。
【請求項３】
前記データ読み取り機に情報を入力するための１つ以上のキーを更に具備し、該１つ以上のキーは前記データ読み取り機の本体に対して不動であり、且つ該１つ以上のキーの機能性は前記キーパッドの検出された位置に基づいて定められることを特徴とする請求項１に記載のシステム。
【請求項４】
前記キーパッドの検出された位置の少なくとも一部に基づいてディスプレイ表示のユーザカスタマイズを補助するカスタマイズコンポネントを更に具備することを特徴とする請求項１に記載のシステム。
【請求項５】
前記カスタマイズコンポネントは少なくとも前記ディスプレイの文字および画像のうちの少なくとも１つのサイズをカスタマイズすることを特徴とする請求項４に記載のシステム。
【請求項６】
前記カスタマイズコンポネントは、一人以上のユーザ認識、ユーザ履歴および現行の用途の少なくとも一部に基づいて前記ディスプレイの好適な配置を推測する人工知能コンポネントに関連していることを特徴とする請求項４に記載のシステム。
【請求項７】
前記データ読み取り機の本体に前記キーパッドを連結することを補助するマルチポジション連結器を更に具備し、前記キーパッドの位置は該キーパッドと前記マルチポジション連結器との物理的結合を監視することによって検出されることを特徴とする請求項１に記載のシステム。
【請求項８】
前記キーパッドの位置を動的に検出する検出コンポネントを更に具備し、前記ディスプレイは前記キーパッドの検出された位置の少なくとも一部に基づいて動的に表示されることを特徴とする請求項１に記載のシステム。
【請求項９】
前記データ読み取り機は装着可能なバーコードスキャナであることを特徴とする請求項１に記載のシステム。
【請求項１０】
前記キーパッドは前記データ読み取り機から分離可能であることを特徴とする請求項１に記載のシステム。
【請求項１１】
前記キーパッドを適切な位置に固定する機構を更に具備することを特徴とする請求項１に記載のシステム。
【請求項１２】
前記キーパッドは、当該キーパッドが適切な位置に固定されていない場合に動作不能であることを特徴とする請求項１１に記載のシステム。
【請求項１３】
前記データ読み取り機は、コンタクトＩＣおよび非コンタクトＩＣ技術を読み込む装置の少なくとも１つであることを特徴とする請求項１に記載のシステム。
【請求項１４】
１つ以上のプロファイルを格納するデータ格納部を更に具備し、該プロファイルは個々のユーザに関連してユーザの好みに関する情報を有し、前記ディスプレイは少なくとも１つのプロファイルの一部に基づいて配置されることを特徴とする請求項１に記載のシステム。
【請求項１５】
データ読み取り機の本体に対して移動可能なキーパッドを用意する工程と、
前記キーパッドを好適な位置に配置する工程と、
前記キーパッドの位置を検出する工程と、
前記キーパッドの検出した位置の少なくとも一部に基づいてディスプレイを配置する工程を有することを特徴とする前記データ読み取り機にデータを表示するための方法。
【請求項１６】
前記キーパッドおよび前記ディスプレイが備えられた分離可能面を用意する工程と、
前記分離可能面を好適な位置に配置する工程と、
前記ディスプレイを前記分離可能面の配置の少なくとも一部に基づいて配置する工程と
を更に有することを特徴とする請求項１５に記載の方法。
【請求項１７】
ユーザの好みの少なくとも一部に基づいて前記ディスプレイをカスタマイズする工程を更に有することを特徴とする請求項１５に記載の方法。
【請求項１８】
ユーザ履歴、ユーザ識別、および現行の用途のうちの一つ以上の少なくとも一部に基づいて前記ディスプレイをカスタマイズすする工程を更に有することを特徴とする請求項１７に記載の方法。
【請求項１９】
不動のキーを前記データ読み取り機に関連付ける工程、および
前記キーの機能を前記可動キーパッドの検出された位置の少なくとも一部に基づいて変更する工程
を更に有することを特徴とする請求項１５に記載の方法。
【請求項２０】
前記ディスプレイに表示される文字および画像の少なくとも１つのサイズを、ユーザの用途の少なくとも一部に基づいて変更する工程を更に有することを特徴とする請求項１５に記載の方法。
【請求項２１】
前記キーパッドを適切な位置に固定する工程を更に有することを特徴とする請求項１５に記載の方法。
【請求項２２】
前記キーパッドは適切な位置に固定されていない場合には動作不能であることを特徴とする請求項２１に記載の方法。
【請求項２３】
バーコードスキャナ上のディスプレイを好ましい状態に配置させるシステムであって、
前記バーコードスキャナ上に配置され該バーコードスキャナに情報を入力するためのキーパッドの配置を、変更する手段と、
前記バーコードスキャナの本体に対する前記キーパッドの配置を認識する手段と、
前記キーパッドの認識された配置の少なくとも一部に基づいて、前記ディスプレイの配置する手段と
を具備することを特徴とするシステム。
【請求項２４】
前記バーコードスキャナは、右腕および左腕の少なくとも一方に装着可能なバーコードスキャナであることを特徴とする請求項２３のシステム。
【請求項２５】
適切な位置にキーパッドを固定することが可能な手段を更に具備することを特徴とする請求項２３に記載のシステム。
【請求項２６】
前記キーパッドの配置を更に変更するために、前記キーパッドを解除する手段を更に具備することを特徴とする請求項２５に記載のシステム。
【請求項２７】
前記ディスプレイの配置を、ユーザ識別、ユーザ履歴、および現行の用途の少なくとも一部に基づいてカスタマイズする手段を更に具備することを特徴とする請求項２３に記載のシステム。
【請求項２８】
前記ディスプレイの方向を合わせるためにプロファイルを利用する手段を更に具備し、前記プロファイルには前記バーコードスキャナディスプレイへのユーザの好みに関する情報が含まれていることを特徴とする請求項２３に記載のシステム。
【請求項２９】
前記キーパッドの位置が変更された場合に前記ディスプレイを動的に配置するための手段を更に具備することを特徴とする請求項２３に記載のシステム。
【発明の詳細な説明】
【技術分野】
【０００１】
本発明は、一般にはバーコードスキャナのディスプレイに関し、特にキーパッド／キーボードポジションに対するディスプレイの配置に関する。
【背景技術】
【０００２】
バーコードスキャナは、販売環境における有効な手段として知られている。バーコードスキャナ以前には、ラベル（例えば、番号、文字、またはこれらを組み合わせたもの）が個々の製品に、これら製品を識別するために貼り付けられていた。ラベルおよびこれらに相当する製品の編集物は、販売人によって活用される。販売人は、どの物品が販売済みであるかを確認することによって、商品目録を正確に認識することが出来る。販売組織に新製品が来ると、商品目録を効率的に認識するための新たな世代のラベルおよびこれらに相当する製品の編集物が要される。例えば、個々の新製品は手作業でカウントされ、一般には表に加えられる。製品の合計は、実質的に同様のラベルを有する在庫品に加えられる。商品一覧の編集には、製品およびラベルの骨の折れる調べなおしや、個々のラベルによって表された多くの製品が記載された表の作成が含まれている。このようなシステムは、時間の消費が多く人為的なミスも受けやすいので、ラベルは読み違えられたり誤った表に加えられてしまったりする恐れがある。
【０００３】
バーコードスキャナは、商品一覧のメンテナンスに関する上記欠陥のいくつかを軽減するために役立てられている。それぞれの製品はバーコード（例えば、暗部と明部が交互に位置するようにして、情報をコード化した図形的な対象物）とともに生産され、個々の製品が識別できるようになっている。売れた商品のバーコードをスキャニングし、バーコードスキャナおよびコンピュータ構成の利用によって、商品は自動的に商品一覧から控除される。更に、それぞれの店舗に搬入された製品は、スキャンされて商品一覧のリストに加えられる。しかしながら、これらバーコードスキャナは、そのサイズのせいで固定された状態となっている。よって、商品一覧の２重のチェックは、販売店においては未だ手作業での製品カウントが要されていた。更にまた、商品一覧のデータベースに製品を投入するために、製品をバーコードスキャナとともに所定の場所へ移動させなければならなかった。
【発明の開示】
【発明が解決しようとする課題】
【０００４】
今日、バーコードスキャナは、幅広い分野で活用されている。例えば、殆ど全ての百貨店、食料品店およびコンビニエンスストアでバーコードスキャナの例が見受けられ、製品販売（例えば、価格認識）や商品一覧の保持に伴って使用されている。更に、バーコードおよびバーコードスキャナは、今や工場や倉庫内のセッティングにも用いられ、バーコードは商品一覧および生産制御と関連付けて有用されている。更に、バーコードは、運転免許証や他の検証カードにも記録されており、そこには個人の識別（例えば、年齢、身長、体重、生年月日・・・）に関する情報が含まれている。技術が進歩するにつれ、バーコードスキャナは持ち運びが可能になり、メモリやディスプレイを具備するようになった。例えば、婚約したカップルが百貨店へ行ってギフト登録した場合、携帯のバーコードスキャナが与えられる。その後、カップルが自分達の登録に追加を希望するアイテムをスキャンすると、バーコードスキャナに備えられているディスプレイが彼らが追加した物品を表示する。更に、一般的なバーコードスキャナは、登録リストを保存するメモリを備えており、後に、この登録リストはより永続的なデータ格納場所に転送されることが出来る。
【０００５】
衣服に着用可能なバーコードスキャナもまた開発され、通常両手を利用するユーザであってもバーコードスキャナを着用したままでいられる。例えば、バーコードスキャナはユーザの腕に巻きついたストラップに取り付け可能であり、これによって腕に固定されている。それゆえ、ユーザはバーコードスキャナを必要としない作業中には、両腕を使うことが出来る。ところが、このような着用可能なバーコードスキャナは、特定の腕に着用されるようにデザインされており、バーコードスキャナにデータ入力するためのキーパッドも、このようなスキャナに付属されている。しかしながら、もしユーザがもう片方の腕でスキャナを利用したい場合には、キーおよびディスプレイは、所望の位置からほぼ１８０度回転した位置に備わっている。更に、特定の腕に装着されるように設計されたバーコードスキャナが、その特定の腕に装着されていないために、キーパッドを利用するユーザのディスプレイの一部が手によって遮られてしまう場合もある。このようなバーコードスキャナは、入力また／あるいは点検時のエラーから免れ得ない。なぜなら、キーパッドが望ましい位置に配置されておらず、ディスプレイが遮断されたり好ましくない状態に配置されたりしてしまうからである。
【０００６】
少なくとも上述した観点から、ユーザにとって望ましい状態で順応するようなキーパッドとディスプレイを実現するシステムおよび／または方法論に対する、技術的な分野への強い要求が存在する。
【課題を解決するための手段】
【０００７】
以下に、発明の幾つかの態様の基本的理解を促すために、発明を単純化した概略を説明する。本概略は、本発明の広域な概観を示すものではない。本発明の鍵となる重大要素を示すものでも本発明の範囲を限定するものでもない。簡略化された形態を用い、後述される詳細な説明の前触れとして、本発明の幾つかのコンセプトを表現することが唯一の目的である。
【０００８】
本発明によれば、ユーザが設定した可動キーパッドの配置の少なくとも一部に基づいて、データ読み取り機（例えばバーコードスキャナ）のディスプレイの位置づけを促すことである。それゆえ、本発明によれば、キーパッドおよびディスプレイを好ましい状態でユーザに向けて配置できるようにして、データ読み取り機のディスプレイからデータを読み取る場合と同様の状態で、データ読み取り機にデータを入力することができるようになる。例えば、データ読み取り機は、装着可能なバーコードスキャナとして、ユーザの片腕に取り付け可能であってもよい。あるユーザはバーコードスキャナを左腕に取り付けて、読み易いように（左から右および上から下に読めるように）キーパッド上の文字が表示されるようにキーパッドの向きを設定する。バーコードスキャナの本体に対するキーバッドのこのような配置はキーパッドセンサによって検知され、バーコードスキャナ上のディスプレイは、正しく配置決めされる。例えば、ディスプレイは左から右および上から下に読むことが出来る。その後、別のユーザは、バーコードスキャナを望ましく右腕に取り付けることが出来る。従来型の装着可能なバーコードスキャナでは、ユーザはキーパッド上の文字を好ましい視認角度から１８０度回転した方向から読み取らなければならず、また／あるいは、キーパッドを介してデータ入力する際には、少なくとも部分的にディスプレイが遮られた状態になってしまっていた。本発明は、キーパッドを好ましい方向に配備するように、バーコードスキャナ本体に対して回転可能とし、またこれ伴ってディスプレイも回転させる。これにより、キーパッドおよびディスプレイに関わる読み取り問題は緩和され、更に、装着可能なバーコードスキャナにデータ入力する際に発生する妨害も抑制される。
【０００９】
本発明の別の態様によれば、データ読み取り機は取り外し可能な面（分離可能面）を有しており、当該分離可能面は可動キーパッドおよびディスプレイを備えている。これは、ディスプレイおよび／またはキーパッドを読み取り部材（例えば、発光および／あるいは受光素子）に対して良好に配置させることが出来る、好ましい例である。分離可能面はデータ読み取り機から取り外したり、再び別の配置で取り付けたりすることが可能である。その後、可動キーパッドも同様に、データ読み取り機の本体および分離可能面に対して、好ましい方向に向きを設定されることが出来る。検出素子は、分離可能面と可動キーパッドの両方の向きを検出するように用意されており、ディスプレイは、分離可能面と可動キーパッドの両方の検出された向きの少なくとも一部に基づいて、表示されることが出来る。
【００１０】
本発明の別の態様によれば、データ読み取り機は、データ読み取り機の本体に対して移動しないキーを更に具備している。すなわち、キーパッドがデータ読み取り機に対して移動可能である場合でも、他のキーは不動になっている。このようなキーは、パワーオンとオフの切り替え、ディスプレイでのスクロール手段、および様々な他の機能に利用されている。しかしながら、キーの機能性は、可動キーパッドへの適応性によって変わりうる。例えば、可動キーパッドが第１のポジションにある場合、不動キーの１つはメニューを通じて上方へのスクロールのために使用することが出来る。また、可動キーパッドが第２のポジションにある場合、当該不動キーはメニューを通じて下方へのスクロールのために使用することが出来る。
【００１１】
上述したような関連した目的の成果のために、本発明は、以下に詳細し、且つ特にクレームにて指摘するような特徴を含む。以下の説明および添付図面は、本発明のいくつかの実施形態を詳細に記述するものである。しかしながら、これら実施形態は本発明の本質が役立てられるような様々な方法のうちのほんの一例を示すものであり、本発明はこれら実施形態とそれらの同等な態様の全てを包含することを目的としている。他の目的は、本発明の優位且つ新規な特徴が、以下に説明する本発明の詳細な記述を図面と合わせて考慮することによって、明らかになることである。
【発明を実施するための最良の形態】
【００１２】
図面を参照しながら本発明を説明する。なお、文中、同様の符号は同様の要素を示している。以下の記述においては、説明のために、本発明を充分に理解できるような具体的な詳細が多く記述されている。しかしながら、本発明はこのような具体的な詳細無しでも実施することが出来ることは明らかである。
【００１３】
本明細書において、“部品”、“操作者”、“モデル”、“システム”およびこれに類似する言葉は、コンピュータ関連の要素体、すなわちハードウエア、ハードウエアとソフトウエアのコンポネント、ソフトウエア、あるいは実行用のソフトウエアのいずれかを指し示す。例えば、コンポネントの場合には、これに限定されるものではないが、処理機における処理の実行、処理機、オブジェクト、実行ファイル、実行スレッド、プログラム、および／あるいはコンピュータが挙げられる。説明において、サーバ上で起動するアプリケーションおよびサーバは、コンポネントとなりうる。１つあるいは複数のコンポネントは、処理および／あるいは実行スレッド内に存在し、１つのコンポネントは１つのコンピュータあるいは複数のコンピュータの間に分配された状態でロカライズされている。また、これらのコンポネントは、多様なデータ構造が格納された様々なコンピュータリーダブルメディアによって実行することが出来る。コンポネントは、例えば１つ以上のデータパケットを有する信号に基づくなどして、ローカルおよび／あるいはリモート処理で通信する。（例えば、あるコンポネントからのデータを、ローカルシステム、分配されたシステム、また／あるいはインターネットのようなネットワークを渡って信号を介する別のシステム、に存在するような別のコンポネントに提供する。）
【００１４】
次に、図１について説明する。ここでは、携帯型のバーコードスキャナのキーパッドとディスプレイの望ましい配置を実現する、システム１００の高度な機能図が示されている。説明のためにバーコードスキャナについて論じることにより、他の着用可能なデータ読み取り装置も予期され、本発明に関連して利用され得ることが理解される。例えば、コンタクトおよび／または非コンタクトのＩ／Ｃリーダはシステム１００において利用可能であり、このようなデバイスは本明細書に記載の請求範囲に含まれるものである。システム１００は、物品のスキャニングおよびバーコードスキャナにデータを入力する際に、従来の携帯型バーコードスキャナを利用時に発生するエラーを軽減する。例えば、システム１００は可動キーパッド１０２を備えており、ディスプレイ１０４が遮られない状態でデータ入力が簡単に実行可能なように、可動キーパッド１０２はユーザにとって望ましい位置に配置することができる。
【００１５】
可動キーパッドを用いることにより、ユーザは、好適にスキャン可能なバーコード記号が記載された物品に関するデータ（例えば、消費者製品、出荷設定時における運用部品、身分証明書）を入力することが出来る。更に、可動キーパッド１０２はユーザがバーコードスキャナ（あるいは他のデータ読み取り機）に最も効率的に情報を入力できる位置に配備されることが可能となっている。本発明の一実施形態によれば、可動キーパッド１０２はバーコードスキャナの前面から完全な状態で取り外し可能で、その後別の位置に装着することも可能となっている。例えば、可動キーパッド１０２は、最初の位置から１８０度回転して配置されることも可能である。このような配置変更が出来ることにより、バーコードスキャナは、着用可能なバーコードスキャナであり、最初ユーザの右腕に固定されていたものが、その後別位置であるユーザの左腕にも好適な状態でくくりつけることが出来るようなものとなる。（例えば、あるユーザは左利きで、別のユーザが右利きであっても良い）更に、同じユーザであっても個々の異なる用途に応じて、着用可能なバーコードスキャナを別の腕に取り付けることも可能である。よって、ユーザは、可動キーパッド１０２がユーザにとって好ましい位置となるようにバーコードスキャナに要求することにより、用途に対して適切な状態で情報を入力することが可能となる。本発明の別の一実施形態によれば、可動キーパッド１０２は、バーコードスキャナの前面から取り外すことなく回転することが可能である。この実施形態では、可動キーパッド１０２のユーザの意向に応じた位置の正確なカスタマイズが用意されている。ユーザにとって好ましい位置にある可動キーパッド１０２を固定するための（不図示の）機構も備えられており、可動キーパッド１０２が好ましくない位置にずれてしまうのを防止している。
【００１６】
システム１００は、キーパッドポジションセンサ１０６を更に具備しており、これにより可動キーパッド１０２の個々の位置を検出することが出来るようになっている。本発明の一実施形態によれば、キーパッドポジションセンサ１０６は、バーコードスキャナの前面と可動キーパッド１０２との物理的距離を監視することにより、可動キーパッド１０２の位置を認識する。例えば、もし第１の位置にある可動キーパッド１０２がバーコードスキャナから物理的に切断され、その後第２の位置に接続された場合、第１および第２の配置において可動キーパッド１０２とバーコードスキャナとの間の物理的接続には差異が存在する。キーパッドポジションセンサ１０６は、このように物理的接続に基づいて可動キーパッド１０２位置を認識することができる。本発明の別の一実施形態によれば、キーパッドポジションセンサ１０６としては、レベルや可動キーパッド１０２の位置を認識することに関係する他の適切な位置センサを利用することが出来る。
【００１７】
システム１００は、ディスプレイ調整コンポネント１０８を更に具備しており、ディスプレイ調整コンポネント１０８は、キーパッドポジションセンサ１０６により検出された可動キーパッド１０２の位置の少なくとも一部に基づいてディスプレイ１０４を調整する。すなわち、例えば、もし可動キーパッド１０２が予めバーコードスキャナから分離されている場合、ディスプレイ調整コンポネント１０８は、可動キーパッド１０２を個々の位置に取り付けたときに可動キーパッド１０２のそれぞれの位置に応じた方向にディスプレイ１０４を表示させる。もし、可動キーパッド１０２が離脱しなくても回転可能な場合、ディスプレイ調整コンポネント１０８は、可動キーパッド１０２の現行の位置に調和するようにディスプレイを動的に変更する。システム１００は、ディスプレイ１０２の表示に関する情報を格納可能なデータ格納部１１０を更に備えている。例えば、ユーザがディスプレイ１０２の表示方向を可動キーパッド１０２のそれぞれの位置に応じてカスタマイズすることが出来、またこのようなカスタマイズ情報はデータ格納部１１０に格納される。データ格納部１１０は、スキャンされた物品に関する情報を格納するためにも用いることが出来る。（例えば、生産識別情報、価格情報、在庫品目情報・・・）
【００１８】
システム１００を採用する携帯式のバーコードスキャナは、一般的なバーコードスキャナの動作と基本的には同様な方式で動作する。例えば、バーコードスキャナは線状のバーコードと同様に２次元のバーコード、また他の高密度な記号（例えば、ＰＤＦ４１７記号のようなもの）も読み取ることが出来る。更に、六角形、四角形、多角形および他の幾何学的な形状から構成されたマトリクス配列から信号値が形成されているような、他のコードも開発されて来ている。これらの全ておよび他の実質的に類似した記号は、本発明によって意図される。例えば、接触または非接触でＩＣ技術を読み取り可能な装置は、本発明により意図される。
【００１９】
次に、図２を参照する。ここでは、バーコードスキャナあるいは他の適当なデータ読み取り機に備えられ、キーパッドとディスプレイの最善の配置を提供するようなシステム２００が示されている。システム２００には、最初のポジションからユーザの用途に応じた所望のポジションに回転可能な可動キーパッド２０２が具備されている。例えば、もしユーザが着用可能なバーコードスキャナを右腕から左腕に装着位置を変えたい場合、可動キーパッド２０２は所望の位置に移動される。更に、可動キーパッド２０２は、バーコードスキャナあるいは他の適切なデータ読み取り機の前面から離脱され、可動キーパッド２０２がユーザにとって好ましい位置に向く様にバーコードスキャナに再装着することが可能である。更に、システム２００は、可動キーパッド２０２の配置を認識するキーパッドポジションセンサ２０４を具備している。ディスプレイ調整コンポネント２０６は、自動的にディスプレイ２０８の向きを調整し、可動キーパッド２０２の位置によって定められる好ましい配置を形成する。よって、可動キーパッド２０２およびディスプレイ２０８は、可動キーパッド２０２を介してバーコードスキャナへの効率的な情報入力を達成し、同様に、ディスプレイを介するキーパッド入力の確認および情報の受信を効率的に行えるように、配置されている。可動キーパッド２０２およびディスプレイ２０８は、ユーザの好みによって配置されるので、バーコードスキャナあるいは他の適切なデータ読み取り機に関わる情報の確認および入力のエラーは低減されるであろう。更に、可動キーパッド２０２が回転することにより、情報入力の際にユーザの手がディスプレイ２０８を部分的に遮ることもない。
【００２０】
システム２００は、可動キーパッド２０２の個々の配置や用途に応じたディスプレイ２０８のレンダリングをカスタマイズするカスタマイズコンポネント２１０を具備している。例えばユーザは、ディスプレイ２０８のそれぞれのレンダリングに適応して可動キーパッド２０２を配置することが出来る。更に、本発明の一実施形態によれば、カスタマイズコンポネント２１０は、ディスプレイ２０８の表示解像度およびディスプレイ２０８のフロントサイズに連動して動作することが可能である。例えば、もし個々の物品をスキャニングする際にユーザがその手を（またこのようなバーコードスキャナを）特定の距離だけ伸ばさなければならない場合、ディスプレイ２０８内の文書は好ましい状態に拡大される。ユーザはカスタマイズコンポネント２１０を利用することによって、ディスプレイ２０８内のテキストや画像を、可動キーパッド２０２の用途やその配置のそれぞれに対応した好ましい状態に表示させることが可能となる。更に、カスタマイズコンポネント２１０は、データ格納部２１２にアクセスして、格納されているユーザプロファイルを読み出すことが出来る。ユーザプロファイルには、ユーザの好み、ユーザの用途、また他の様々なユーザ情報に関連した情報が含まれており、最善の表示が成されるように動作している。異なるユーザであっても一つのバーコードスキャナ（あるいは他の好適なデータ読み取り機）をこのように利用することができ、可動キーパッド２０２の位置によって決まるディスプレイの配置やイメージに関しても、個々のユーザの選択に従ってアクセスすることが出来る。
【００２１】
更に、カスタマイズコンポネント２１０は人工知能コンポネント２１４と関わりを持っており、可動キーパッド２０２の位置によって決まる最も好ましいディスプレイ２０８の配備にも関与している。例えば、人工知能コンポネント２１４は、スクリーン解像度、テキストサイズ、イメージ、およびディスプレイの配置を、可動キーパッド２０２の位置およびユーザに関する変数（例えば時刻、時刻における主用途、可動キーパッドの位置に与えられる主な好ましい配置）の少なくとも一部に基づいて、推測することが出来る。更に、人工知能コンポネント２１４は活動を監視し、可動キーパッドの検出された位置や、ユーザ識別、ユーザの使用過程、現行の適用などに基づいて、ディスプレイの表示や割り当てを行う。例えば、Ｂｅｙｅｓｉａｎ  ｂｅｌｉｅｆ  システム、あいまいな論理、神経回路網、および他の適切な知的アルゴリズムが人工知能コンポネントと連動して活用することが出来る。更に、データ格納部２１２は、特定のまたは様々な人に関するデータを保持可能であり、これら情報は、可動キーパッドの個々の位置が定められた際に、人工知能コンポネント２１４がディスプレイ２０８の性質に関する決定を下すために利用される。
【００２２】
次に図３を参照する。ここでは、上記データ読み取り機に連結したキーパッドの個々の位置を前提として、データ読み取り機のディスプレイを正しく配置するための手順３００が示されている。説明を簡単にするために、手順３００は一連の工程として示され説明されているが、本発明はこのような工程の順序に限定されるものではなく、本発明に従っていれば、ここに示し説明する内容とは異なった順番や、他の工程が同時に実行されるような動作であっても構わないことは理解および評価されよう。例えば、当業者においては、１つの手順が図に示す工程のように関連性のある工程あるいはイベントの系によって代替可能であることは理解および認識されよう。更に、本発明において手順を実行するに当たって、ここ示された全ての工程が要されるものでもない。
【００２３】
３０２では、携帯式のデータ読み取り機が用意される。例えば、このデータ読み取り機はバーコードスキャナであってもよいし、コンタクトあるいは非コンタクトでＩＣデータを読み取る装置等であってもよい。更に、このデータ読み取り機は、様々な記号や記号化されたデータを読み取ることの出来る２つ以上の装置の結合体であってもよい。例えば、データ読み取り機は、バーコードスキャナと磁気ストライプリーダであってもよい。このような２つ以上の装置の結合体は本発明によって意図されるものであり、本明細書の請求項の範囲に含まれるものである。
【００２４】
ステップ３０４では、可動キーパッドが好ましい位置に配置される。本発明の一実施形態によれば、キーパッドはデータ読み取り機から物理的に分離され、その後、データ読み取り機の好ましい配置に再度装着される。本発明の別の一実施形態によれば、キーパッドをデータ読み取り機から物理的に分離しなくても、キーパッドを回転させることが出来る。更に、ロック機構が用意されており、キーパッドが好ましい配置から移動されないことが保障されている。
【００２５】
ステップ３０６では、キーパッドの位置が検出される。例えば、キーパッドとデータ読み取り機が物理的に連結が解かれると、分離した位置に配置可能となる。更に、レベルやキーパッドに関する他の適切な位置センサは、バーコードスキャナに対するキーパッドの位置を検出するのに用いられる。ステップ３０８において、検出結果は、現状のディスプレイの位置が望ましいものであるか否かを考慮するために適用される。もし現状のディスプレイの位置が望ましいものでない場合、ステップ３１０では、キーパッドの位置に基づいて、ディスプレイが自動的に適切な位置に配置される。もし、ステップ３０８において現状のディスプレイの位置が望ましいものと判断された場合、ステップ３１２へ進み、ディスプレイは配置換えされない。このようにして、キーパッドおよびディスプレイはユーザの好みに従って配置され、ディスプレイの表示およびキーパッドを介してのデータ読み取り機への情報入力に関するエラーの抑制を実現する。
【００２６】
次に図４を参照する。ここでは、本発明に適用可能な模範的なデータ読み取り機が示されている。データ読み取り機４００は、可動キーパッド４０２およびディスプレイ４０４を具備し、ディスプレイ４０４は可動キーパッド４０２の配置の少なくとも一部に基づいて配置されている。可動キーパッド４０２は、データ読み取り機に情報を入力することが可能な各種キーを更に備えている。別の位置に変換することが不能な他のキー４０８も又、情報の入力のために用いられる。例えば、キー４０８を利用することによって、ユーザはリストのスクロールを行うことが出来る。更に、キー４０８には、パワーキーや、データ読み取り機４００の操作性に効果のある他の様々なキーが含まれている。スキャニングコンポネント４１０はデータ読み取り機の頭部に備えられており、スキャニングコンポネント４１０はバーコード記号やその同等物を用意にスキャニングすることが出来る。本模範例においては、可動キーパッド４０２やスクリーンがユーザにとって好ましい状態で見えるような形で配置されている。（例えば、検出される物品がスキャニングコンポネント４１０の上部でスキャンされるように）。図４の状態から図５の状態まで簡潔に回転すると、データ読み取り機４００は異なった配置で示される。可動キーパッド４０２は、データ読み取り機４００の配置に関し、好ましい状態でユーザが可動キーパッド４０２を見ることが出来るような形で、位置決めされている。従来のデータ読み取り機では、ユーザは、可動キーパッド４０２をすばやく読み取るために、その視線を左方向に回転させなければならなかった。更に、ディスプレイ４０４も同様に、ユーザにとっての最善の視線に対して左に９０度回転されていた。しかしながら、本発明を適用することにより、ユーザは可動キーパッド４０２を、これを観察するに好ましい位置に変換することが出来る。その後、ディスプレイ４０４も同様にして、可動キーパッド４０２の位置に応じて自動的にその位置を変換する。このようにして、データ読み取り機４００が反時計回りに９０度回転したとしても、キーパッド４０２およびディスプレイ４０４は好ましい状態で観察できる様に配置される。
【００２７】
次に、図６を参照する。ここには、本発明の１つあるいは複数の実施形態に適用可能な模範的なデータ読み取り機６００が示されている。例えば、データ読み取り機６００はバーコードスキャナであっても良い。データ読み取り機６００は可動キーパッドと連携しており、この可動キーパッドはデータ読み取り機６００から離脱可能で、且つデータ読み取り機の別の場所に再装着することが出来る。データ読み取り機６００はマルチポジション連結器６０４を更に具備しており、可動キーパッド６０２は異なる４方向で装着することが出来る。更に、マルチポジション連結器６０４と可動キーパッド６０２との間には、可動キーパッド６０２がデータ読み取り機に対して異なった場所に配置される場合の、更に別の物理的な連結方法が介在される。それゆえ、可動キーパッド６０２の個々の位置は、マルチポジション連結器６０４と可動キーパッド６０２との間の物理的な連結を観察することによって、効果的に検出することが出来る。
【００２８】
可動キーパッドの位置を検出することにより、ディスプレイ６０６は、可動キーパッド６０２の位置に応じた位置に自動的に定められる。可動キーパッド６０２は、様々なキーを更に備えている。各種キーは、好ましい状態で既にスキャンされた物品、現在スキャンされている物品、さらに今後スキャンされる物品に関連して、データ読み取り機６００にデータ入力するために使用される。キーパッド６０２は電話に備えられたキーパッドに類似して見えるが、データ読み取り機６００上に適用可能な適切なキーパッド構成であればよいことは理解されよう。データ読み取り機６００は、不動の各種キー６０８を更に備えている。例えば、キー６０８には、パワーキー、メニューをスクロールするためのキー、あるいはデータ読み取り機６００の制御に関する他の適切な動作のためのキーが含まれる。更に、これらキーの機能性は、可動キーパッド６０２の検出された位置に基づいて自動的に改めることが出来る。具体的には、可動キーパッド６０２が第１のポジションにあるとき、キー６１０はメニューを上方向にスクロールするために利用される。その後、可動キーパッド６０２が第１のポジションから１８０度回転して配置された場合には、キー６１０はメニューを下方向にスクロールするために利用される。データ読み取り機６００は、物品に関するデータを取得するための個々の記号をスキャンするために使用されるスキャナ６１２を、更に具備している。物品が好ましい状態でスキャンされるためのスキャナ６１２の配置によって、可動キーパッド６０２およびディスプレイ６０６の好ましい配置が確定される。
【００２９】
次に図７を参照する。ここには、本発明の一実施形態として適用可能な模範的なデータ読み取り機７００が示されている。データ読み取り機７００は、データ読み取り機７００に対して回転することが可能な可動キーパッド７０２を備えている。例えば、可動キーパッド７０２は、不図示のロック機構から解除されることにより、好ましい位置まで回転することが出来る。１つあるいはそれ以上の不図示のセンサが、データ読み取り機７００に対する可動キーパッド７０２の配置を認識するように用いられている。ディスプレイは、検出された可動キーパッド７０２の位置の少なくとも一部に基づいて動的に配置される。例えば、可動キーパッド７０２が最初の位置から反時計回りに４５度回転された場合、ディスプレイ７０４表示は同様に回転される。本発明の一実施形態によれば、ユーザは、ロックが解除されて回転中である可動キーパッド７０２を使用することは出来ず、これにより、好ましい位置に向けて回転中の可動キーパッド７０２において、キーが誤って押されることのない様に保障されている。好ましい位置で可動キーパッド７０２がロックされると、ユーザは再び可動キーパッド７０２のキーを利用することが可能となり、データ読み取り機７００にデータを入力することが出来る。
【００３０】
他の様々な不動のキー７０６は、データ読み取り機７００にデータを入力するために備えられている。例えば、キー７０６はメニューのスクロール、パワーオンあるいはオフ、および他の適切な機能のために適用可能である。更にまた、キー７０６の機能性は可動キーパッド７０２の位置に応じて変更することもできる。例えば、もし可動キーパッド７０２が最初の位置から予め定められた閾値角を超えて回転された場合、キー７０６の機能は変更される。このような形態であれば、ユーザはデータ読み取り機７００の最善の機能性を得ることが出来、データ読み取り機７００への情報入力に関して発生する誤操作が抑えられる。データ読み取り機７００はスキャナ７０８を更に具備しており、スキャナ７０８はバーコード記号あるいは同類の証を読み取る際に関連して、発光および受光する。
【００３１】
次に、図８を参照する。ここには本発明に適用可能な模範的なバーコードスキャナ８００が示されている。バーコードスキャナ８００は分離可能な前面８０２を備えており、この分離可能面８０２はバーコードスキャナ８００の本体より取り外した後、最初の位置から１８０度回転した位置に最装着することができる。分離化能面８０２には、ユーザの意向に応じて配置可能な可動キーパッド８０６が備えられている。分離可能面８０２には、更に、可動キーパッド８０６の検出された位置に応じて自動的に配置されるディスプレイ８０８が備えられている。例えば、可動キーパッド８０６が分離可能面８０２に対し、最初の位置から反時計回りに９０度回転して配置された場合には、ディスプレイ８０６も同様に、分離可能面８０２に対して約９０度反時計回りに回転した状態で表示する。バーコードスキャナ８００は、分離化能面８０２に対して移動不能な様々なキー８１０も更に備えており、キー８０１はバーコードスキャナ８００へ情報を中継する際に適用される。本発明の１実施形態によれば、キー８１０の操作性は検出された分離化能面８０２と可動キーパッド８０６との配置によって定められる。具体的には、キー８１０の操作は分離化能面８０２が１８０度回転されたときに変更される。更に、キー８１０の機能は、可動キーパッド８０６が分離化能面８０２に対して移動された場合にも変更される。これにより、キー８１０はユーザにとって利用しやすいものとなる。
【００３２】
バーコードスキャナは、スキャニングコンポネント８１２を更に備えており、スキャニングコンポネントは、バーコード信号の読み取りに関連して発光および受光を行っている。分離可能面８０２の機能は、ユーザがディスプレイ８０８をスキャニングコンポネント８１２に対して特別な位置に配置したい場合に役に立つ。例えば、スキャニングコンポネント８１２がバーコードスキャナ８００の本体８０４の左側に配備されている場合、ユーザはディスプレイ８０８への視線が自分の腕によって部分的に遮られることの無いように、ディスプレイ８０８をスキャニングコンポネント８１２のそばに配置させることを望む。その後可動キーパッド８０６は、バーコードスキャナ８００へ情報を入力するために可動キーパッド８０６の望ましい位置まで回転され、ディスプレイ８０８は可動キーパッド８０６の位置に応じて表示する。
【００３３】
次に図９を参照する。ここには、本発明の一実施形態に関わるバーコードスキャナ９０２の模範的な使用状態９００が示されている。バーコードスキャナ９００はこれを利用している個人の左腕９０４に装着されている。例えば、ストラップやその他の適切な装着機構によって、バーコードスキャナ９００は個人の腕９０４に装着可能となっている。不図示のスキャニングコンポネントは、個人の左腕９０４に平行で、且つ個人の体から離れる方向に発光および受光を行う。キーパッドは個人の左腕９０４の手首に配置されており、右腕９０６の手は個人の視線を遮ることはない。
【００３４】
図１０では、図９に示したバーコードスキャナ９０２の変更された使用状態が示されている。バーコードスキャナ９０２は、個人の右腕１００２（左腕に変わって）に装着されている。本発明以前では、バーコードスキャナ９０２上のキーパッド１００４は、好ましい位置から１８０度回転された位置に配置される。これに変わって、バーコードスキャナ９０２が右腕１００２の後方の位置に配置されるので、物品をスキャニングすることが難しくなり、また、ユーザが情報入力する際の視線が左腕によって遮られることになる。本発明では、キーパッド１００４がバーコードスキャナ９０２に対して分離された位置に配置させることが出来る。更に、ディスプレイ１００８は、検出されたキーパッド１００４の位置に応じて自動的に配置される。このようにして、バーコードスキャナ９０２の使い勝手を犠牲にすることなく、また特別な腕用にデザインされたバーコードスキャナを新たに購入する必要も無く、ユーザはバーコードスキャナ９０２のキーパッド１００４およびディスプレイ１００８を好ましい状態で観察することが出来る。
【００３５】
次に図１１を参照する。ここではデータ読み取り機のカスタマイズ方法１１００が示されている。１１０２において、データ読み取り機の分離可能面は、好ましい位置に回転される。分離化能面は、ディスプレイ、可動キーパッド、１つ以上の不動のキー、および模範的なデータ読み取り機に見られるような他の適切な要素を具備している。分離化能面は複数の位置に配置することが可能である。例えば、データ読み取り機が実質的に四角形の場合には、分離可能面は少なくとも４種類の異なる場所に配置することが出来る。更に、データ読み取り機が円形の場合には、分離可能面は相当な数の位置に配置することが出来る。分離可能面は、ディスプレイおよびキーパッドをスキャニングコンポネントに対する特別な位置に配置することが要された場合に、必要とされる。
【００３６】
１１０４において、分離可能面の位置が検出される。例えば、分離可能面がほんの幾つかの位置にのみ結合される場合、分離可能面とデータ読み取り機との物理的に異なる結合機構によって分離可能面の配置を認識することが出来る。本発明の他の実施形態においては、１つ以上の位置センサが利用され、データ読み取り機本体に対する分離可能面の配置を認識することができる。１１０６では可動キーパッドが個々の用途に応じたユーザの意向に沿って配置される。例えば、第１のユーザがデータ読み取り機を右腕に装着し、第２のユーザが左腕に装着することを望んだ場合、可動キーパッドは好ましいように１８０度回転され、第２のユーザの視線に対し好ましい状態で配置される。
【００３７】
１１０８において、分離可能面に対するキーパッドの配置が検出される。キーパッドの位置は、分離可能面の位置認識についての上述した方法に大方基づいて認識される。１１１０において、分離可能面上のディスプレイは、分離可能面の検出された位置およびキーパッドの検出された位置の少なくとも一部に基づいて、自動的に配置される。このような自動的な配置は、分離可能面およびキーパッドの配置に基づいて、ユーザによって好ましい形で実現される。
【００３８】
図１２を参照するに、ここでは本発明の一実施形態に関する携帯型のデータ読み取り機１２００の模範例の模式的なブロック図が示されている。図において、プロセッサ１２０２は装置１２００の一般的な動作制御を行っている。プロセッサ１２０２は、ここに説明するような様々な機能を実行するため、装置内の様々なコンポネントを制御および動作させるようにプログラミングされている。プロセッサ１２０２は、適当な複数のプロセッサであってもよい。プロセッサ１２０２がプログラミングされ、本発明に関する働きを実行するための方法は、ここに詳述される内容に関する当業者によって、迅速に明らかにされるであろう。
【００３９】
プロセッサ１２０２に結合されたメモリ１２０４は、プロセッサ１２０２によって実行されるプログラムコードを格納し、また、収益処理情報などの情報を格納するための手段としても機能している。メモリ１２０４は、少なくともディスプレイに表示される情報の一式を格納するように構成されているような揮発性のメモリでよい。このようなメモリ１２０４は、プロセッサ１２０２によって高速にアクセス可能なＲＡＭメモリを含んでいてもよいし、テキスト、イメージ、音声、および映像コンテンツを含んだギガバイト相当のデータを保管可能な例えばマイクロドライブのような大容量のメモリを含んでいても良い。一実施形態によれば、メモリ１２０４は複数の情報を格納可能な充分な容量を有し、プロセッサ１２０２は、ディスプレイに表示する情報の様々なセット間において、これらを切り替えたり循環させたりすることが出来る。
【００４０】
ディスプレイ１２０６は、ディスプレイドライバ１２０８を介することによってプロセッサ１２０２に連結している。ディスプレイ１２０６はカラー液晶ディスプレイ（ＬＣＤ）などのようなものであっても良い。本例においては、ディスプレイ１２０６は１６階調を有する１／４ＶＧＡとする。ディスプレイ１２０６は、データ、グラフィックあるいは他の情報を表示する機能を有する。例えば、ディスプレイ１２０６は一連の消費者情報を表示することが出来、オペレータにこれを表示して不図示の基幹システムを介して転送させることが出来る。加えて、ディスプレイ１２０６は装置１２００の動作を制御するための様々な機能を表示ことが出来る。ディスプレイ１２０６は、英数字と図形文字の両方を表示することが出来る。
【００４１】
機内のバッテリシステム１２１０は、プロセッサ１２０２および携帯用装置１２００を形成する他のコンポネントに動力を与える。バッテリシステム１２１０が欠乏したり、装置１２００から取り外された際は、補充動力源１２１２がプロセッサ１２０２に動力を供給したりバッテリシステム１２１０を充填するために利用される。携帯型装置上にあるプロセッサ１２０２は、予想以上のバッテリー消耗の検出に基づいて、スリープモードを誘導して電流の引きこみを抑制する。
【００４２】
携帯型の端末１２００は、データ通信ポート１２１６を備えた通信サブシステム１２１４を具備しており、この通信サブシステムは、プロセッサ１２０２のリモートコンピュータとのインタフェイスとしての役割を果たす。ポート１２１６は少なくともＵＳＢとＩＥＥＥ１３９４の上述したようなシリアル通信能力を備えている。その他、例えばＩｒＤＡポートを利用した赤外線通信技術が適用されていても良い。
【００４３】
携帯型の装置１２００は、プロセッサ１２０２との通信に有効なＲＦトランシーバ部１２１８を更に具備している。このＲＦ部１２１８はＲＦレシーバ１２２０を備えており、ＲＦレシーバ１２２０は分離した装置からのＲＦ信号をアンテナ１２２２を介して受信し、そこで調整されたデジタル情報を得るためにこれを復調する。ＲＦ部１２１８は分離した装置に情報を送信するためのＲＦトランスミッタ１２２４を更に具備しており、例えばオペレータ入力装置１２２６（例えばキーパッド）を介したユーザの手入力に応じて、あるいはトランザクションの完了や他の予め決められてプログラム化された基準に応じて自動的に、動作する。トランシーバ部１２１８は、受動的であれ能動的であれトランスポンダシステムと連結して動作し、製品や物品のＲＦ札とともに使用される。プロセッサ１２０２は、トランシーバ１２１８を介することによって、離れたトランスポンダシステムに発信（パルス発信）し、戻ってきた信号を受信して札の記録内容を読みとる。ＲＦ部１２１８は、装置１２００を用いた電話回線も更に可能にしている。これを促進するために、音声Ｉ／Ｏ部１２２８が、プロセッサ１２０２によって制御される形で用意されており、マイク（あるいは同様の音声入力装置）から入力された音声や、（スピーカーあるいは同様の音声出力装置から）出力する音声信号を加工する。さらにこれを補助するために、装置１２００は、これが単にボイスレコーダとして使用される場合に役立つような、音声の認識能力を有しており、プロセッサ１２０２は、音声信号を分離した場所で編集したりレビューしたり出来るような、また／あるいはコンピュータやワードプロセッサのような分離したシステムに後からダウンロード出来るようなテキストに高速に変換する。同様に、変換された音声信号は、キーパッドからの手入力の変わりとなって、装置１２００を制御するために利用される。
【００４４】
機内には周辺機器として、例えばプリンタ１２３０、サインおよび／あるいは生物特徴入力パッド１２３２（signature and/or biometric input pad）、および磁気ストライプリーダ１２３４もまた備えられており、これらは装置１２００の外装内に、あるいは１つ以上の外部ポートインタフェイス１２１６を介して外部から接続されている。
【００４５】
装置１２００は、画像取得システム１２３６を更に備えている。ユーザは、画像取得システム１２３６を利用して写真や短い動画を取得し、装置１２００によってこれを保管したりディスプレイによってこれを表示したり出来る。また、データフォーム読み取りシステム１２３８も備えられており、商売項目に関連するデータのフォームをスキャニングする。これら（１２３６および１２３８）のようなイメージングシステムは、双方の機能を同時に実行可能なような単体のシステムであればより好ましい。
【００４６】
以上説明した内容は、本発明の例である。本発明を表現するために、要素や方法の想像できる全ての組み合わせを説明することは、無論不可能である。しかし、当業者であれば本発明において、更に多くの組み合わせや並べ替えが実現可能であることは、理解できるであろう。更に、添付された請求項の精神と範囲に含まれるような、全ての修正、改良および変形も本発明に含まれるものである。更にまた、「具備する、含む」という言葉が詳細な説明か請求項内で使用される範囲において、この言葉は請求項中で暫定的に用いられる「具備する」が解釈されるような「具備する」という言葉と同様な方法で、用いられることを目的としている。
【図面の簡単な説明】
【００４７】
【図１】本発明の一実施形態に適用するバーコードスキャナのキーパッドおよびスクリーンの好適な位置づけを簡単に示したシステムのブロック図である。
【図２】本発明の一実施形態に適用するバーコードスキャナのキーパッドおよびスクリーンの好適な位置づけを簡単に示したシステムのブロック図である。
【図３】本発明の一実施例に適用する少なくともキーパッドポジションに基づくスクリーンの好ましい位置決めの手順を説明するためのフローチャートである。
【図４】本発明に適用可能な模範的なデータ読み取り機を示した図である。
【図５】本発明に適用可能な模範的なデータ読み取り機を示した図である。
【図６】本発明の一実施形態に適用する移動可能なキーパッド付きの模範的なデータ読み取り機を示した図である。
【図７】本発明の一実施形態に適用する回転可能なキーパッド付きの模範的なデータ読み取り機を示した図である。
【図８】本発明の一実施形態に適用する取り外し可能面付きの模範的なデータ読み取り機を示した図である。
【図９】本発明に適用可能な模範的な使用環境を示した図である。
【図１０】本発明に適用可能な模範的な使用環境を示した図である。
【図１１】本発明の一実施形態における、取り外し可能な面の位置および移動可能なキーパッドの位置に基づいて、バーコードスキャナのディスプレイを位置決めする方法を説明するためのフローチャートである。
【図１２】本発明の一実施形態におけるバーコードスキャナの概略図である。
【符号の説明】
【００４８】
１００、２００    システム
１０２、２０２、４０２、６０２、７０２、８０６、１００４    可動キーパッド
１０４、２０８、４０４、６０６、７０４、８０８、１００８    ディスプレイ
１０６、２０４    キーパッドポジションセンサ
１０８、２０６    ディスプレイ配置コンポネント
１１０、２１２    データ格納部
２１０    カスタマイズコンポネント
２１４    人工知能コンポネント
４００、６００、７００、１２００    データ読み取り機
４０８、６１０、７０６、８１０    不動キー
４１０、８１２    スキャニングコンポネント
６０４    連結器
６１２、７０８    スキャナ
８００、９０２    バーコードスキャナ
８０２    分離可能面
８０４    本体
９００    使用状態
９０４    左腕
９０６、１００２    右腕
１２０２    プロセッサ
１２０４    メモリ
１２０６    ディスプレイ
１２０８    ディスプレイドライバ
１２１０    バッテリシステム
１２１２    補充動力源
１２１４    データ通信サブシステム
１２１６    データ通信ポート
１２１８    ＲＦトランシーバ部
１２２０    ＲＦトランシーバ
１２２２    アンテナ
１２２４    ＲＦトランスミッタ
１２２６    オペレータ入力装置
１２２８    音声Ｉ／Ｏ
１２３０    プリンタ
１２３２    形跡  および／または  生物測定入力パッド
１２３４    磁気ストライプリーダ
１２３６    画像取得システム
１２３８    データフォーム読み取りシステム
【図１】
2005251164.tif 000003
【図２】
2005251164.tif 000004
【図３】
2005251164.tif 000005
【図４】
2005251164.tif 000006
【図５】
2005251164.tif 000007
【図６】
2005251164.tif 000008
【図７】
2005251164.tif 000009
【図８】
2005251164.tif 000010
【図９】
2005251164.tif 000011
【図１０】
2005251164.tif 000012
【図１１】
2005251164.tif 000013
【図１２】
2005251164.tif 000014
【外国語明細書】
2005251164000001.pdf